(57)【要約】【課題】入出力切替えを簡易にし、かつ消費電力を削減すること。【解決手段】画像表示装置は、接続機器からの画像信号が入力される外部入力用端子と、接続機器からの画像信号および電圧信号が入力されるとともに、画像信号を接続機器に出力する外部入出力用端子と、外部入出力端子から入力された画像信号に基づく第１同期信号と、外部入出力端子から入力された電圧信号とを検出する検出部と、第１同期信号または電圧信号に基づいて、外部入力端子から入力された画像信号の外部入出力端子からの出力と、外部入出力端子から入力された画像信号の画像表示装置内部への出力とを切り替える切替制御部と、を備えた。【選択図】図１
2013064784.tif 000002
【特許請求の範囲】
【請求項１】
接続機器に接続される画像表示装置であって、
前記接続機器からの画像信号が入力される外部入力用端子と、
前記接続機器からの画像信号および電圧信号が入力されるとともに、画像信号を前記接続機器に出力する外部入出力用端子と、
前記外部入出力端子から入力された画像信号に基づく第１同期信号と、前記外部入出力端子から入力された前記電圧信号とを検出する検出部と、
前記第１同期信号または前記電圧信号に基づいて、前記外部入力端子から入力された画像信号の前記外部入出力端子からの出力と、前記外部入出力端子から入力された画像信号の前記画像表示装置内部への出力とを切り替える切替制御部と、
を備えたことを特徴とする画像表示装置。
【請求項２】
前記検出部は、さらに、前記第１同期信号の周波数に基づいて、前記第１同期信号が有効であるか否かを判断し、
前記切替制御部は、前記第１同期信号が有効である場合に、前記外部入出力端子から入力された画像信号の前記画像表示装置内部への出力に切り替えること、
を特徴とする請求項１に記載の画像表示装置。
【請求項３】
前記検出部は、さらに、前記電圧信号が示す電圧値に基づいて、前記電圧信号が有効であるか否かを判断し、
前記切替制御部は、前記電圧信号が有効である場合に、前記外部入出力端子から入力された画像信号の前記画像表示装置内部への出力に切り替えること、
を特徴とする請求項２に記載の画像表示装置。
【請求項４】
前記検出部は、さらに、前記外部入力端子から入力された画像信号に基づく第２同期信号を検出し、前記第２同期信号の周波数に基づいて、前記第２同期信号が有効であるか否かを判断し、
前記切替制御部は、前記第２同期信号が有効である場合であって、前記第１同期信号または前記電圧信号が有効である場合に、前記外部入出力端子から入力された画像信号の前記画像表示装置内部への出力に切り替えること、
を特徴とする請求項１に記載の画像表示装置。
【請求項５】
前記切替制御部は、前記第２同期信号が有効である場合であって、前記第１同期信号および前記電圧信号が無効である場合に、前記外部入力端子から入力された画像信号の前記外部入出力端子からの出力に切り替えること、
を特徴とする請求項４に記載の画像表示装置。
【請求項６】
前記切替制御部は、前記第２同期信号が有効でない場合であって、前記第１同期信号または前記電圧信号が有効である場合に、前記外部入出力端子から入力された画像信号の前記画像表示装置内部への出力に切り替えること、
を特徴とする請求項４に記載の画像表示装置。
【請求項７】
前記切替制御部は、前記第２同期信号が有効でない場合であって、前記第１同期信号および前記電圧信号が無効である場合に、電源供給を停止するように制御すること、
を特徴とする請求項６に記載の画像表示装置。
【請求項８】
前記検出部は、前記第１同期信号の周波数が、予め定められた周波数の第１範囲に含まれるか否かにより、前記第１同期信号が有効か否かを判断し、前記第２同期信号の周波数が、予め定められた周波数の第２範囲に含まれるか否かにより、前記第２同期信号が有効か否かを判断すること、
を特徴とする請求項４〜７のいずれか一つに記載の画像表示装置。
【請求項９】
前記外部入出力端子から入力された画像信号から、前記第１同期信号を分離する第１分離部と、
前記外部入力端子から入力された画像信号から、前記第２同期信号を分離する第２分離部と、
をさらに備えたことを特徴とする請求項４〜８のいずれか一つに記載の画像表示装置。
【請求項１０】
前記第１分離部及び前記第２分離部は、前記入力された画像信号が輝度信号と２つの色差信号とからなるコンポーネント信号である場合、前記輝度信号から前記第１同期信号および前記第２同期信号を分離すること、
をさらに備えたことを特徴とする請求項９に記載の画像表示装置。
【請求項１１】
接続機器に接続される画像表示装置で実行される入出力切替え方法であって、
前記画像表示装置は、前記接続機器からの画像信号が入力される外部入力用端子と、前記接続機器からの画像信号および電圧信号が入力されるとともに、画像信号を前記接続機器に出力する外部入出力用端子と、を備え、
前記外部入出力端子から入力された画像信号に基づく第１同期信号と、前記外部入出力端子から入力された前記電圧信号とを検出するステップと、
前記第１同期信号または前記電圧信号に基づいて、前記外部入力端子から入力された画像信号の前記外部入出力端子からの出力と、前記外部入出力端子から入力された画像信号の前記画像表示装置内部への出力とを切り替えるステップと、
を含むことを特徴とする入出力切替え方法。
【請求項１２】
接続機器に接続されるコンピュータに実行させるためのプログラムであって、
前記コンピュータは、前記接続機器からの画像信号が入力される外部入力用端子と、前記接続機器からの画像信号および電圧信号が入力されるとともに、画像信号を前記接続機器に出力する外部入出力用端子と、を備え、
前記外部入出力端子から入力された画像信号に基づく第１同期信号と、前記外部入出力端子から入力された前記電圧信号とを検出するステップと、
前記第１同期信号または前記電圧信号に基づいて、前記外部入力端子から入力された画像信号の前記外部入出力端子からの出力と、前記外部入出力端子から入力された画像信号の前記コンピュータ内部への出力とを切り替えるステップと、
を前記コンピュータに実行させるためのプログラム。
【発明の詳細な説明】
【技術分野】
【０００１】
本発明は、画像表示装置、入出力切替え方法およびプログラムに関する。
【背景技術】
【０００２】
プロジェクタは、大画面の映像をスクリーンなどに投影することができ、映画鑑賞、プレゼンテーション、教育用等に用いられている。このようなプロジェクタでは、ＰＣ（Ｐｅｒｓｏｎａｌ  Ｃｏｍｐｕｔｅｒ）からのＲＧＢアナログ映像信号を入力する端子、ＤＳＵＢ（１５ｐｉｎ）端子を備えているのが一般的である。
【０００３】
また、プロジェクタの外部入力端子数を減少させるため、ＤＶＤ（Ｄｉｇｉｔａｌ  Ｖｅｒｓａｔｉｌｅ  Ｄｉｓｃ）プレーヤからのＹＰｂＰｒ信号も、ＤＳＵＢ（１５Ｐｉｎ）端子を使用して入力するプロジェクタが増加している。
【０００４】
更に、この種のプロジェクタでは、上記ＤＳＵＢ（１５ｐｉｎ）端子から入力されたアナログ映像信号をアナログ映像信号のまま、モニタ等他の表示装置に出力可能とするために、外部出力用のＤＳＵＢ（１５ｐｉｎ）端子を備えている。
【０００５】
近年では、ユーザから要望により、プロジェクタに、外部入力用ＤＳＵＢ（１５ｐｉｎ）端子を２つ備える傾向にある。このため、このような外部接続端子が多くなってしまい、プロジェクタを小型化することが困難であり、これを解決すべく、入力用ＤＳＵＢ（１５ｐｉｎ）端子の１つと外部出力用ＤＳＵＢ（１５ｐｉｎ）端子とを兼用する技術が既に知られている。すなわち、入力用ＤＳＵＢ（１５ｐｉｎ）端子と外部出力用ＤＳＵＢ（１５ｐｉｎ）端子を兼用する入出力兼用ＤＳＵＢ（１５ｐｉｎ）端子を備えたプロジェクタが登場してきている。
【発明の概要】
【発明が解決しようとする課題】
【０００６】
しかしながら、このような入出力兼用ＤＳＵＢ（１５ｐｉｎ）端子を備えたプロジェクタでは、入出力の切り替えを機械的なスイッチで行っているため、ユーザの使用目的に応じてスイッチを切り替える必要があり、ユーザによる入出力の切替え操作が煩雑になるという問題がある。
【０００７】
また、従来技術では、外部出力する映像信号が存在しない場合または入力される映像信号が存在しない場合でも、入出力を切り替えるための制御回路が駆動状態となり、消費電力が無駄に増大するという問題がある。
【０００８】
本発明は、上記に鑑みてなされたものであって、入出力切替えを簡易にし、かつ消費電力を削減することができる画像表示装置、入出力切替え方法およびプログラムを提供することを目的とする。
【課題を解決するための手段】
【０００９】
上述した課題を解決し、目的を達成するために、本発明にかかる画像表示装置は、接続機器に接続される画像表示装置であって、前記接続機器からの画像信号が入力される外部入力用端子と、前記接続機器からの画像信号および電圧信号が入力されるとともに、画像信号を前記接続機器に出力する外部入出力用端子と、前記外部入出力端子から入力された画像信号に基づく第１同期信号と、前記外部入出力端子から入力された前記電圧信号とを検出する検出部と、前記第１同期信号または前記電圧信号に基づいて、前記外部入力端子から入力された画像信号の前記外部入出力端子からの出力と、前記外部入出力端子から入力された画像信号の前記画像表示装置内部への出力とを切り替える切替制御部と、を備えたことを特徴とする。
【００１０】
本発明にかかる入出力切替え方法は、接続機器に接続される画像表示装置で実行される入出力切替え方法であって、前記画像表示装置は、前記接続機器からの画像信号が入力される外部入力用端子と、前記接続機器からの画像信号および電圧信号が入力されるとともに、画像信号を前記接続機器に出力する外部入出力用端子と、を備え、前記外部入出力端子から入力された画像信号に基づく第１同期信号と、前記外部入出力端子から入力された前記電圧信号とを検出するステップと、前記第１同期信号または前記電圧信号に基づいて、前記外部入力端子から入力された画像信号の前記外部入出力端子からの出力と、前記外部入出力端子から入力された画像信号の前記画像表示装置内部への出力とを切り替えるステップと、を含むことを特徴とする。
【００１１】
本発明にかかるプログラムは、接続機器に接続されるコンピュータに実行させるためのプログラムであって、前記コンピュータは、前記接続機器からの画像信号が入力される外部入力用端子と、前記接続機器からの画像信号および電圧信号が入力されるとともに、画像信号を前記接続機器に出力する外部入出力用端子と、を備え、前記外部入出力端子から入力された画像信号に基づく第１同期信号と、前記外部入出力端子から入力された前記電圧信号とを検出するステップと、前記第１同期信号または前記電圧信号に基づいて、前記外部入力端子から入力された画像信号の前記外部入出力端子からの出力と、前記外部入出力端子から入力された画像信号の前記コンピュータ内部への出力とを切り替えるステップと、を前記コンピュータに実行させる。
【発明の効果】
【００１２】
本発明によれば、入出力切替えを簡易にし、かつ消費電力を削減することができるという効果を奏する。
【図面の簡単な説明】
【００１３】
【図１】図１は、本実施の形態にかかるプロジェクタの構成図である。
【図２】図２は、入出力切替制御回路の詳細構成を主体的に示す図である。
【図３】図３は、同期信号、＋５Ｖ電源の電圧信号の測定範囲および各信号を有効と判断するための第１範囲、第２範囲の一例を示す説明図である。
【図４】図４は、ＳＷの詳細な回路図である。
【図５】図５は、本実施の形態の入出力切替処理の手順を示すフローチャートである。
【図６】図６は、本実施の形態の入出力切替処理の手順を示すフローチャートである。
【発明を実施するための形態】
【００１４】
以下に添付図面を参照して、この発明にかかる画像表示装置、入出力切替え方法およびプログラムの実施の形態を詳細に説明する。本実施の形態では、画像表示装置を、画像をスクリーン等に投影表示する画像投影装置であるプロジェクタに適用した例を挙げて説明するが、これに限定されるものではなく、画像を表示する装置であれば、例えば、ビデオ再生装置やＰＣ等いずれの装置にも適用することが可能である。また、本実施の形態では、画像信号として映像信号を例にあげて説明する。
【００１５】
図１は、本実施の形態にかかるプロジェクタの構成図である。本実施の形態のプロジェクタ１００は、図１に示すように、外部映像入力端子１１０と、外部映像入出力端子１１１と、ＡＤコンバータ１０１（以下、「ＡＤＣ１０１」という。）と、スケーラ１０２と、ドライブ回路１０６と、光源１０８と、表示素子１０７と、投影光学系１０９と、入出力切替制御回路１１２と、制御部１０３と、メモリ１０４と、操作部１０５とを主に備えている。
【００１６】
本実施の形態のプロジェクタ１００は、ＰＣ（Ｐｅｒｓｏｎａｌ  Ｃｏｍｐｕｔｅｒ）やＤＶＤプレーヤ等の接続機器と外部映像入力端子１１０、外部映像入出力端子１１１で接続され、外部映像入力端子１１０または外部映像入出力端子１１１から入力されるＰＣ画像の映像信号やＤＶＤの映像信号を、図示しないスクリーン上に拡大投影する投射装置である。
【００１７】
外部映像入力端子１１０は、接続機器からの映像信号が入力される端子である。外部映像入出力端子１１１は、接続機器からの映像信号および電圧信号が入力される入力端子と、外部映像入力端子１１０から入力された映像信号をアナログ信号のまま出力する出力端子とを兼用する端子である。本実施の形態では、外部映像入力端子１１０、外部映像入出力端子１１１は、いずれもＤＳＵＢ（１５ｐｉｎ）端子であるが、これに限定されるものではない。
【００１８】
ＡＤＣ１０１は、外部映像入力端子１１０または外部映像入出力端子１１１から入力されるアナログの映像信号をデジタルの映像信号に変換する。
【００１９】
スケーラ１０２は、ＡＤＣ１０１から出力される映像信号を入力し、当該映像信号の内容から縦と横の画素数を判定し、プロジェクタ１００の出力画素数のアスペクト比に対して入力映像が最適表示になるように自動でスケーリングを行なう。
【００２０】
制御部１０３は、マイクロコントローラで構成され、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などの演算回路および記憶回路を備えている。そして、制御部１０３は、プロジェクタ１００の全般的な制御を行うと共に、各種の設定及び比較を行うための制御を行う。
【００２１】
メモリ１０４は、制御部１０３で設定した内容を記憶する不揮発性メモリなどで構成され、プロジェクタ１００の電源オフ後も前回の設定内容（言語設定など）が保存される。
【００２２】
操作部１０５は、プロジェクタ１００の本体の操作パネル上のキー入力部またはリモコン送信機のキー入力部などで構成されており、例えばプロジェクタ１００の各種設定や選択を行うためのメニュー画面を表示させるメニューキーなどを備えている。
【００２３】
ドライブ回路１０６は、スケーラ１０３からのスケーリングされた映像信号及びその同期信号を入力し、表示素子１０７を駆動する。
【００２４】
表示素子１０７は、液晶パネルなどの表示パネルで構成され、スケーリングされた映像を表示し、その映像によって光源１０８からの光を変調する。投影光学系１０９は、投射レンズ（不図示）を含み、表示素子１０８からの映像光をスクリーン（不図示）上に拡大投影する。
【００２５】
入出力切替制御回路１１２は、外部映像入出力端子１１１から入力された映像信号に基づく同期信号（Ｈｓｙｎｃ，Ｖｓｙｎｃ）および＋５Ｖ電源の電圧信号、外部映像入力端子１１０から入力された映像信号に基づく同期信号を検出し、これらの信号に基づいて、外部映像入出力端子１１１の入力設定と出力設定とを切替える。すなわち、入出力切替制御回路１１２は、外部映像入力端子１１０から入力された映像信号の外部映像入出力端子１１１からの出力（出力設定）と、外部映像入出力端子１１１から入力された映像信号のプロジェクタ１００内部のＡＤＣ１０１への出力（入力設定）とを切り替える。
【００２６】
図２は、入出力切替制御回路１１２の詳細構成を主体的に示す図である。図２において、一点鎖線により囲まれた部分が入出力切替制御回路１１２を示している。図２に示すように、入出力切替制御回路１１２は、ＥＥＰＲＯＭ１１３，１１４と、信号検出・入出力切替部１１９と、同期分離回路１１５，１１６と、入出力切替スイッチ回路１１７（以下、「ＳＷ１１７」という。）とを備えている。
【００２７】
同期分離回路１１５は、第２分離部として機能し、外部映像入力端子１１０から入力された映像信号が輝度信号Ｙと２つの色差信号Ｃｂ，Ｃｒとからなるコンポーネント信号である場合、輝度信号Ｙから同期信号を分離する。
【００２８】
同期分離回路１１６は、第１分離部として機能し、外部映像入出力端子１１１から入力された映像信号が上記コンポーネント信号である場合、輝度信号Ｙから同期信号を分離する。
【００２９】
ＥＥＰＲＯＭ１１３，１１４は、接続機器であるＰＣとの接続の際にプラグアンドプレイを実現するために必要となるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を記憶しており、ＰＣから入力される＋５Ｖ電源を供給して動作している。
【００３０】
信号検出・入出力切替部１１９は、マイクロコントローラで構成され、ＧＰＩＯ（Ｇｅｎｅｒａｌ  Ｐｕｒｐｏｓｅ  Ｉｎｐｕｔ／Ｏｕｔｐｕｔ）制御によって入出力切替制御回路１１２の制御を行う。
【００３１】
信号検出・入出力切替部１１９には、外部映像入力端子１１０または外部映像入出力端子１１１に入力される映像信号の同期信号が入力される。
【００３２】
また、信号検出・入出力切替部１１９には、外部映像入出力端子１１１から入力される＋５Ｖ電源ラインも接続されている。ここで、プロジェクタ１００に接続機器としてＤＶＤプレーヤ等が接続されている場合には、外部映像入出力端子１１１から映像信号が入力されるが、プロジェクタ１００に接続機器としてＰＣが接続されている場合には、外部映像入出力端子１１１からの映像信号の他、＋５Ｖ電源の電圧信号が入力される。
【００３３】
従って、信号検出・入出力切替部１１９は、外部映像入出力端子１１１から入力された映像信号からの同期信号（第１同期信号）と、外部映像入出力端子１１１から入力された＋５Ｖ電源の電圧信号と、外部映像入力端子１１０から入力された映像信号からの同期信号（第２同期信号）を検出する。
【００３４】
また、信号検出・入出力切替部１１９は、入力される上記信号が有効であるか否かを判断する。具体的には、信号検出・入出力切替部１１９は、同期分離回路１１６で分離された同期信号の周波数が所定の第１範囲に含まれるか否かにより、当該同期信号が有効であるか否かを判断する。また、信号検出・入出力切替部１１９は、同期分離回路１１５で分離された同期信号の周波数が所定の第２範囲に含まれるか否かにより、当該同期信号が有効であるか否かを判断する。さらに、信号検出・入出力切替部１１９は、検出された＋５Ｖ電源の電圧信号の電圧値が所定の電圧範囲に含まれるか否かにより、当該電圧信号が有効であるか否かを判断する。
【００３５】
ここで、有効と判断するための第１範囲、第２範囲、電圧範囲は、予め設定されている。図３は、同期信号、＋５Ｖ電源の電圧信号の測定範囲および各信号を有効と判断するための第１範囲、第２範囲の一例を示す説明図である。
【００３６】
信号検出・入出力切替部１１９には、同期信号（Ｈｓｙｎｃ，Ｖｓｙｎｃ）及び＋５Ｖ電源の電圧信号が入力される。外部映像入力端子１１０、外部映像入出力端子１１１から入力される同期信号（Ｈｓｙｎｃ，Ｖｓｙｎｃ）については、ＶＥＳＡ規格で対応している標準信号に対応するため、Ｈｓｙｎｃに関しては周波数：１５ｋＨｚ〜１００ｋＨｚを有効な周波数範囲とし、Ｖｓｙｎｃに関しては周波数：３０Ｈｚ〜１２０Ｈｚを有効な周波数範囲とし、信号検出・入出力切替部１１９は、検出した同期信号がこれらの有効な周波数範囲（すなわち第１範囲、第２範囲）にある場合は、外部映像入力端子１１０、外部映像入出力端子１１１から入力される映像信号があると判定する。
【００３７】
同期分離回路１１５，１１６から入力される同期信号については、コンポーネント信号のみが対応する信号とするため、Ｈｓｙｎｃに関しては周波数：１５ｋＨｚ〜７５ｋＨｚを有効な周波数範囲とし、Ｖｓｙｎｃに関しては周波数：４５Ｈｚ〜６５Ｈｚを有効な周波数範囲とし、検出した同期信号がこれらの有効な周波数範囲（すなわち第１範囲、第２範囲）にある場合は、信号検出・入出力切替部１１９は、外部映像入力端子１１０または外部映像入出力端子１１１に入力信号があると判定する。
【００３８】
外部映像入出力端子１１１から入力される＋５Ｖ電源の電圧信号については、入力される電圧値により信号の有無を判断する。この信号は、接続機器がＰＣの場合に入力され、各機器のバラつきを考慮して、判定用電圧値３Ｖ程度に設定することが好ましい。すなわち、信号検出・入出力切替部１１９は、電圧信号の電圧値が３Ｖ以上の電圧範囲にある場合に、＋５Ｖ電源の電圧信号が入力されていると判断する。
【００３９】
上記の有効な各範囲は、一般的に使用される信号を基準に設定している。このため、プロジェクタ１００の仕様及びユーザの希望により有効な範囲を変更することができる。
【００４０】
ＳＷ１１７は、信号検出・入出力切替部１１９から送信される制御信号によって、外部映像入力端子１１０から入力された映像信号を外部映像入出力端子１１１から出力させるか（すなわち、外部映像入出力端子１１１を出力設定にするか）、または外部映像入出力端子１１１から入力された映像信号をＡＤＣ１０１に出力させるか（すなわち、外部映像入出力端子１１１を入力設定にするか）を切り替えるスイッチＩＣである。
【００４１】
すなわち、ＳＷ１１７は、外部映像入出力端子１１１からの同期信号が有効な周波数範囲（第１範囲）にある場合に、外部映像入出力端子１１１を入力設定にし、外部映像入出力端子１１１から入力された映像信号をＡＤＣ１０１への出力に切り替える。また、ＳＷ１１７は、＋５Ｖ電源の電圧信号が有効な電圧範囲にある場合に、同様に、外部映像入出力端子１１１を入力設定にする。
【００４２】
より具体的には、ＳＷ１１７は、信号検出・入出力切替部１１９からの制御信号により、外部映像入力端子１１０からの同期信号が有効な周波数範囲（第２範囲）にある場合であって、外部映像入出力端子１１１からの同期信号が有効な周波数範囲（第１範囲）にある場合、または外部映像入出力端子１１１からの＋５Ｖ電源の電圧信号が有効な電圧範囲にある場合には、外部映像入出力端子１１１に映像信号が入力されてると判断し、外部映像入出力端子１１１を入力設定にし、外部映像入出力端子１１１から入力された映像信号をＡＤＣ１０１への出力に切り替える。
【００４３】
また、ＳＷ１１７は、ＳＷ１１７は、信号検出・入出力切替部１１９からの制御信号により、外部映像入力端子１１０からの同期信号が有効な周波数範囲（第２範囲）にある場合であって、外部映像入出力端子１１１からの同期信号が有効な周波数範囲（第１範囲）になく、かつ外部映像入出力端子１１１からの＋５Ｖ電源の電圧信号が有効な電圧範囲にない場合（例えば、３Ｖ未満）には、外部映像入出力端子１１１に映像信号が入力されておらず、外部映像入力端子１１０に映像信号が入力されていると判断し、外部映像入出力端子１１１を出力設定にして、外部映像入力端子１１０から入力された映像信号を外部映像入出力端子１１１から出力するように切り替える。
【００４４】
また、ＳＷ１１７は、ＳＷ１１７は、信号検出・入出力切替部１１９からの制御信号により、外部映像入力端子１１０からの同期信号が有効な周波数範囲（第２範囲）にない場合であって、外部映像入出力端子１１１からの同期信号が有効な周波数範囲にあるか、または＋５Ｖ電源の電圧信号が有効な電圧範囲にある場合には、外部映像入出力端子１１１に映像信号が入力されてると判断し、外部映像入出力端子１１１を入力設定にし、外部映像入出力端子１１１から入力された映像信号をＡＤＣ１０１への出力に切り替える。
【００４５】
さらに、ＳＷ１１７は、ＳＷ１１７は、信号検出・入出力切替部１１９からの制御信号により、外部映像入力端子１１０からの同期信号が有効な周波数範囲（第２範囲）にない場合であって、外部映像入出力端子１１１からの同期信号が有効な周波数範囲になく、かつ＋５Ｖ電源の電圧信号が有効な電圧範囲にない場合、外部映像入力端子１１０、外部映像入出力端子１１１のいずれも映像信号を入力していないと判断し、電源供給を停止するように制御する。
【００４６】
図４は、ＳＷ１１７の詳細な回路図である。外部映像入力端子１１０から入力される映像信号（Ｒ，Ｇ，Ｂ）３００は、ＡＤＣ１０１に入力されると同時にＳＷ１１７内において６ｄＢ  ＡＭＰ１２１，１２２，１２３によって電圧レベルを２倍にし、７５Ω抵抗１２４，１２５，１２６を経由して切替スイッチ１３０，１３１，１３２に入力される。
【００４７】
外部映像入力端子１１０から入力される同期信号３０１は、ＡＤＣ１０１に入力されると同時にＳＷ１１７内においてＳｃｈｍｉｔｔ  Ｔｒｉｇｇｅｒバッファ１２３を通って整形され、切替スイッチ１３３に入力される。そして映像信号（Ｒ，Ｇ，Ｂ）３００、同期信号３０１は、ＳＷ１１７が出力設定になっている場合、外部映像入出力端子１１１から出力される。
【００４８】
６ｄＢ  ＡＭＰ１２１，１２２，１２３及びＳｃｈｍｉｔｔ  Ｔｒｉｇｇｅｒバッファ１２３は、ＳＷ１１７より送られる制御信号によってＰｏｗｅｒ  ＯＦＦ設定でき、Ｐｏｗｅｒ  ＯＦＦ時は消費電力を低くすることができる。
【００４９】
外部映像入出力端子１１１から入力される映像信号（Ｒ，Ｇ，Ｂ）３０２は、切替スイッチに入力後、ＳＷ１１７が入力設定になっている場合、７５Ω抵抗１２７，１２８，１２９で終端してＡＤＣ１０１に入力される。同様に、外部映像入出力端子１１１から入力される同期信号３０３も、ＳＷ１１７が入力設定になっている場合、ＡＤＣ１０１に入力される。
【００５０】
上記のとおり、外部映像入力端子１１０または外部映像入出力端子１１１に入力されている信号の状態を、信号検出・入出力切替部１１９で判断し、その状態によってＳＷ１１７を自動で切替制御するため、ユーザによる切替の手間を省略することができる。また、外部映像入力端子１１０および外部映像入出力端子１１１に入力信号がない場合、不要な処理を停止させることで消費電力を低減させることができる。
【００５１】
次に、以上のように構成された本実施の形態のプロジェクタ１００による入出力切替処理について説明する。図５、図６は、本実施の形態の入出力切替処理の手順を示すフローチャートである。
【００５２】
まず、信号検出・入出力切替部１１９が、外部映像入力端子１００および同期分離回路１１５からの同期信号（Ｈｓｙｎｃ／Ｖｓｙｎｃ信号）を検出すると（ステップＳ１）、信号検出・入出力切替部１１９は、検出した同期信号（Ｈｓｙｎｃ／Ｖｓｙｎｃ信号）が、図３で示した有効な周波数範囲（第２範囲）に含まれているか否かを判断する（ステップＳ２）。
【００５３】
そして、検出した同期信号（Ｈｓｙｎｃ／Ｖｓｙｎｃ信号）が有効な周波数範囲（第２範囲）に含まれている場合には（ステップＳ２：Ｙｅｓ）、信号検出・入出力切替部１１９は、外部映像入出力端子１１１から＋５Ｖ電源の電圧信号を検出する（ステップＳ３）。そして、信号検出・入出力切替部１１９は、検出した＋５Ｖ電源の電圧信号が、図３に示した有効な電圧範囲内（例えば、３Ｖ以上）であるか否かを判断する（ステップＳ４）。
【００５４】
そして、＋５Ｖ電源の電圧信号が上記電圧範囲内である場合には（ステップＳ４：Ｙｅｓ）、信号検出・入出力切替部１１９は、外部映像入出力端子１１１を入力設定に切り替える旨の制御信号をＳＷ１１７に送出し、ＳＷ１１７は外部映像入出力端子１１１を入力設定にする（ステップＳ５）。
【００５５】
一方、ステップＳ４において、＋５Ｖ電源の電圧信号が上記電圧範囲内でない場合には（ステップＳ４：Ｎｏ）、信号検出・入出力切替部１１９は、同期分離回路１１６からの同期信号（Ｈｓｙｎｃ／Ｖｓｙｎｃ信号）を検出する（ステップＳ６）。
【００５６】
そして、信号検出・入出力切替部１１９は、検出した同期信号（Ｈｓｙｎｃ／Ｖｓｙｎｃ信号）が、図３で示した有効な周波数範囲（第１範囲）に含まれているか否かを判断する（ステップＳ７）。
【００５７】
そして、検出した同期信号（Ｈｓｙｎｃ／Ｖｓｙｎｃ信号）が有効な周波数範囲（第１範囲）に含まれている場合には（ステップＳ７：Ｙｅｓ）、信号検出・入出力切替部１１９は、外部映像入出力端子１１１を入力設定に切り替える旨の制御信号をＳＷ１１７に送出し、ＳＷ１１７は外部映像入出力端子１１１を入力設定にする（ステップＳ８）。
【００５８】
一方、ステップＳ７において、検出した同期信号（Ｈｓｙｎｃ／Ｖｓｙｎｃ信号）が有効な周波数範囲（第１範囲）に含まれていない場合には（ステップＳ７：Ｎｏ）、信号検出・入出力切替部１１９は、外部映像入出力端子１１１を出力設定に切り替える旨の制御信号をＳＷ１１７に送出し、ＳＷ１１７は外部映像入出力端子１１１を出力設定にする（ステップＳ９）。
【００５９】
また、ステップＳ２において、ステップＳ１で検出した同期信号（Ｈｓｙｎｃ／Ｖｓｙｎｃ信号）が有効な周波数範囲（第２範囲）に含まれていない場合には（ステップＳ２：Ｎｏ）、信号検出・入出力切替部１１９は、外部映像入出力端子１１１から＋５Ｖ電源の電圧信号を検出する（ステップＳ１０）。そして、信号検出・入出力切替部１１９は、検出した＋５Ｖ電源の電圧信号が、図３に示した有効な電圧範囲内（例えば、３Ｖ以上）であるか否かを判断する（ステップＳ１１）。
【００６０】
そして、＋５Ｖ電源の電圧信号が上記電圧範囲内である場合には（ステップＳ１１：Ｙｅｓ）、信号検出・入出力切替部１１９は、外部映像入出力端子１１１を入力設定に切り替える旨の制御信号をＳＷ１１７に送出し、ＳＷ１１７は外部映像入出力端子１１１を入力設定にする（ステップＳ１２）。
【００６１】
一方、ステップＳ１１において、＋５Ｖ電源の電圧信号が上記電圧範囲内でない場合には（ステップＳ１１：Ｎｏ）、信号検出・入出力切替部１１９は、同期分離回路１１６からの同期信号（Ｈｓｙｎｃ／Ｖｓｙｎｃ信号）を検出する（ステップＳ１３）。
【００６２】
そして、信号検出・入出力切替部１１９は、検出した同期信号（Ｈｓｙｎｃ／Ｖｓｙｎｃ信号）が、図３で示した有効な周波数範囲（第１範囲）に含まれているか否かを判断する（ステップＳ１４）。
【００６３】
そして、検出した同期信号（Ｈｓｙｎｃ／Ｖｓｙｎｃ信号）が有効な周波数範囲（第１範囲）に含まれている場合には（ステップＳ１４：Ｙｅｓ）、信号検出・入出力切替部１１９は、外部映像入出力端子１１１を入力設定に切り替える旨の制御信号をＳＷ１１７に送出し、ＳＷ１１７は外部映像入出力端子１１１を入力設定にする（ステップＳ１５）。
【００６４】
一方、ステップＳ１４において、検出した同期信号（Ｈｓｙｎｃ／Ｖｓｙｎｃ信号）が有効な周波数範囲（第１範囲）に含まれていない場合には（ステップＳ１４：Ｎｏ）、信号検出・入出力切替部１１９は、ＳＷ１１７をＰｏｗｅｒ  Ｄｏｗｎモードに設定し、電源供給を停止する（ステップＳ１６）。
【００６５】
このように本実施の形態では、信号検出・入出力切替部１１９が外部映像入力端子１１０からの同期信号、外部映像入出力端子１１１からの同期信号および外部映像入出力端子１１１からの＋５Ｖ電源の電圧信号に応じて、入力端子と出力端子を兼用する外部映像入出力端子１１１の入力設定、出力設定を切り替えるので、機械的スイッチにより入力端子と出力端子の切替えを行う従来技術に比べて、入出力切替えを簡易に行うことができる。
【００６６】
また、本実施の形態では、外部映像入力端子１１０からの同期信号、外部映像入出力端子１１１からの同期信号が有効な周波数範囲になく、また外部映像入出力端子１１１からの＋５Ｖ電源の電圧信号が有効な電圧範囲にない場合には、信号検出・入出力切替部１１９は、Ｐｏｗｅｒ  Ｄｏｗｎモードに切り替えて電源供給を停止しているので、消費電力を削減することができる。
【００６７】
なお、本実施の形態のプロジェクタ１００で実行される入出力切替処理は、図２の回路のようなハードウェアで実現してもよいし、ソフトウェアで実現してもよい。
【００６８】
本実施の形態の入出力切替処理をソフトウェアで実現する場合、本実施の形態のプロジェクタ１００で実行される入出力切替プログラムは、ＲＯＭ等に予め組み込まれて提供される。本実施の形態のプロジェクタ１００で実行される入出力切替プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６９】
さらに、本実施の形態のプロジェクタ１００で実行される入出力切替プログラムを、インターネット等のネットワークに接続されたコンピュータ上に格納し、ネットワーク経由でダウンロードさせることにより提供するように構成しても良い。また、本実施の形態のプロジェクタ１００で実行される入出力切替プログラムをインターネット等のネットワーク経由で提供または配布するように構成しても良い。
【００７０】
本実施の形態のプロジェクタ１００で実行される入出力切替プログラムは、上述した各部（信号検出・入出力切替部１１９、ＳＷ１１７）を含むモジュール構成となっており、実際のハードウェアとしてはＣＰＵ（プロセッサ）が上記ＲＯＭから入出力切替プログラムを読み出して実行することにより上記各部が主記憶装置上にロードされ、信号検出・入出力切替部１１９、ＳＷ１１７が主記憶装置上に生成されるようになっている。
【符号の説明】
【００７１】
１００  外部映像入力端子
１０１  ＡＤコンバータ（ＡＤＣ）
１０２  スケーラ
１０３  制御部
１０４  メモリ
１０５  操作部
１０６  ドライブ回路
１０７  表示素子
１０８  光源
１０９  投影光学系
１１０  外部映像入力端子
１１１  外部映像入出力端子
１１２  入出力切替制御回路
１１３，１１４  ＥＥＰＲＯＭ
１１５，１１６  同期分離回路
１１７  入出力切替スイッチ回路（ＳＷ）
１１９  信号検出・入出力切替部
１２３  Ｓｃｈｍｉｔｔ  Ｔｒｉｇｇｅｒバッファ
【先行技術文献】
【特許文献】
【００７２】
【特許文献１】特開２００７−３２７９８７号公報
【図１】
2013064784.tif 000003
【図２】
2013064784.tif 000004
【図３】
2013064784.tif 000005
【図４】
2013064784.tif 000006
【図５】
2013064784.tif 000007
【図６】
2013064784.tif 000008